(57)【要約】      （修正有）【課題】高熱時、脇の下のリンパ節を冷す装置を提供する。【解決手段】人体の両脇に設置される、単一、又は、複数の部屋を有する冷却剤１の両側面上部上方向に、人体の腕の付け根の円周より大きめの円周を有した肩掛け紐２を湾曲に構成させ、両該肩掛け紐２に通されたループエンド３０されたスライド式留め具１０を備えた繋ぎ紐１５を背中上部に引き上げ留め、冷却剤１を脇の下に固定する。【選択図】図１
2005034557.tif 000002
【特許請求の範囲】
【請求項１】
人体の両脇に設置される単一、又は、複数の部屋を有した冷却剤の両側面、上部上方向に湾曲に立ち上げた、人体の腕の付け値の円周より大きめの円周を備えた肩掛け紐と両該肩掛け紐の一片を背側で繋ぎ止める部材とからなる冷却装置。
【請求項２】
人体の両脇に設置される単一、又は、複数の部屋を有した冷却剤の両側面、上部上方向に湾曲に立ち上げた、肩掛け紐を二つに分割し、分割された肩掛け紐の先端を結び、腕の付け根の円周より大きめの円周を備えさせ、両該肩掛け紐の一片を背側で繋ぎ止める部材とからなる請求項１の冷却装置。
【請求項３】
人体の両脇に設置される単一、又は、複数の部屋を有した冷却剤の両側面、上部上方向に湾曲に立ち上げた、人体の腕の付け根の円周より大きめの円周を備えた肩掛け紐を二つに分割し、分割された該肩掛け紐に長さ調節可能な、取り外し自在の部材を備えさせ、両該肩掛け紐の一片を背側で繋ぎ止める部材とからなる請求項１請求項２の冷却装置。
【請求項４】
人体の両脇に設置される単一、又は、複数の部屋を有した冷却剤の両側面、又は、片側面上部に肩掛け紐を支持する部材を取り付け、該支持する部材、又は、冷却剤側面上部上方向に、長さ調節可能な、取り外し自在の部材を備えた、人体の腕の付け根の円周より大きめの円周を有した肩掛け紐を湾曲に立上げ、両該肩卦け紐の一片を背側で繋ぎ止める部材とからなる請求項１請求項２請求項３の冷却装置。
【請求項５】
人体の両脇に設置される単一、又は、複数の部屋を有した冷却剤の両側面、又は、片側面に袖部材を設、該袖部材、又は、冷却剤上部上方向に湾曲に立上げた、人体の腕の付け根の円周よりも大きめの円周を備えた肩掛け紐に、両該肩掛け紐を背側で繋ぎ止める部材を支持する部材を設た冷却装置が、収縮自在の素材を有し、該肩掛け紐に肩クッションを備えさせ、着脱自在のカバーを有した、両該肩掛け紐の一片を背側で繋ぎ止める部材とからなる請求項１請求項２請求項３請求項４の冷却装置。
【請求項６】
人体の両脇に設置される単一、又は、複数の部屋を有した冷却剤の両側面上部上方向に湾曲に立上げた人体の腕の付け根の円周より大きめの円周を備えさせた、両該肩掛け紐の一片を背側で繋ぎ止める部材とからなる冷却装置に、冷却装置の側面に胸の周囲又は、腕の周囲を固定させる為のベルトを設け、両該肩掛け紐の一片を背側で繋ぎ止める部材とからなる請求項１請求項２請求項３請求項４請求項５の冷却装置。
【請求項７】
人体の両脇に設置される単一、又は、複数の部屋を有した冷却剤の両側面上部上方向に湾曲に立上げた人体の腕の付け根の円周より大きめの円周を備えさせた、両該肩掛け紐の一片を背側で繋ぎ止める部材とからなる冷却装置の、側面に備えられた胸の周囲又は、腕の周囲を固定させるベルトを支持する部材を設、該ベルトには長さ調節可能な取り外し自在の部材と収縮自在の素材を有し、両該肩掛け紐の一片を背側で繋ぎ止める部材とからなる請求項１請求項２請求項３請求項４請求項５請求項６の冷却装置。
【発明の詳細な説明】
【発明の詳細な説明】
【発明に属する技術分野】
【０００１】本発明は、高熱時、脇の下のリンパ節を冷す為の冷却装置である。
【背景技術】
【０００２】高熱時、予め、冷された脇の下冷却装置を装着させるものがいまだ無く、冷却剤を肩掛け紐を有する冷却剤収納袋にいれ使用していた。
【発明が解決しようとする課題】
【０００３】上記の従来の構成では、冷却剤と肩掛け紐を有する冷却装置が分離していたが、本考案においては、冷却剤より直接肩掛け紐を構成させ、冷却装置がそのま冷却させることを目的としている。
【課題を解決するための手段】
【０００４】上記課題を解決するために請求項１の本発明では、人体の両脇に設置される、本発明である、単一、又は、複数の部屋を有した冷却剤の両側面の上部上方向に湾曲に立ち上げた、人体の腕の付け根の円周より大きめの円周を備えた肩掛け紐と、両該肩掛け紐の一片を背側で繋ぎ止める部材とを提供する。
【０００５】請求項２において、人体の両脇に設置される単一、又は、複数の部屋を有した冷却剤の両側面の上部上方向に湾曲に立ち上げた、肩掛け紐を二つに分割し、分割された該肩掛け紐の双方の先端を一つに結び、人体の腕の付け根の円周より大きめの円周に設定させ、両該肩掛け紐の一片を背側で繋ぎ止める部材を提供する。
【０００６】請求項３において、人体の両脇に設置される単一、又は、複数の部屋を有した冷却剤の両側面の上部上方向に湾曲に立ち上げた、人体の腕の付け根の円周より大きめの円周を備えた肩掛け紐を二つに分割し、分割された該肩掛け紐に長さ調節可能な、取り外し自在の部材を設、両該肩掛け紐の一片を背側で繋ぎ止める部材を提供する。
【０００７】請求項４において人体の両脇に設置される単一、又は、複数の部屋を有した冷却剤の両側面又は、片側面上部に、肩掛け紐を支持する部材を取り付け、該支持する部材、又は、冷却剤側面上部上方向に湾曲に立上げた、長さ調節可能な、取り外し自在な部材を有した人体の腕の付け根の円周より大きめの円周を有した肩掛け紐と、両該肩掛け紐の一片を背側で繋ぎ止める部材とを提供する。
【０００８】請求項５において人体の両脇に設置される単一、又は、複数の部屋を有した冷却剤の両側面、又は、片側面に袖で部材を有し、該袖で部材、又は、冷却剤の上部上方向に人体の腕の付け根の円周より大きめの円周を有した肩掛け紐を湾曲に立上げ、該肩掛け紐に肩クッションを設け、又、収縮自在の素材を有した、両該肩掛け紐の一片を背側で繋ぎ止める部材を支持させる部材を設、該支持させる部材を介し、両該肩掛け紐の一片を背側で繋ぎ止める部材とを提供する。
【０００９】請求項６において人体の両脇に設置される単一、又は、複数の部屋を有した冷却剤の両側面上部上方向に湾曲に立上げた腕の付け根の円周より大きめの円周を有した肩掛け紐と、両該肩掛け紐の一片を背側で繋ぎ止める部材を有する冷却装置の側面に、胸の周囲又は、腕の周囲を固定させるベルトを構成させたことを提供する。
【００１０】請求項７において人体の両脇に設置される単一、又は、複数の部屋を有した冷却剤の両側面上部上方向に湾曲に立上げた腕の付け根の円周より大きめの円周を有した肩掛け紐と、両該肩掛け紐の一片を背側で繋ぎ止める部材を有する冷却装置の側面に、胸の周囲又は、腕の周囲を固定させるベルトを支持させる部材を設、該ベルトには長さ調節可能な、取り外し自在の部材を設け、収縮自在の素材を有したことを提供する。
【発明を実施するための最良の形態】
【００１１】本考案に係わる実施例を図面に添って説明する。図１は、本発明の実施例の一つである。【００１２】請求項１の図１において、人体の両脇に設置される（イ）の単一の冷却剤１又は、（ロ）の複数の部屋を有した冷却剤１の両側面より、上部上方向に湾曲に立上げた肩掛け紐２は、人体の腕の付け根の円周より大きめの円周を有し、（ａ）（ｂ）に示す、該肩掛け紐２を人体の腕に通した時は肩掛け紐２は腕の付け根の円周より余裕が有り、予め、掛けられてあるループエンド３０された、スライド式留め具１０を有した繋ぎ紐１５を人体の背側でスライド式留め具１０を利用して背中上部まで絞り上げ留め、冷却剤１を脇の下に固定させる。【００１３】（ロ）に示す、複数の部屋を有したことは、冷却剤１が曲線を有する人体の脇の下に、より融合させるためのものである。【００１４】図２において、人体の両脇に設置される（イ）の単一の冷却剤１又は、（ロ）の複数の部屋を有した冷却剤１の両側面より、上部上方向に湾曲に立上げた肩掛け紐２は、人体の腕の付け根の円周より大きめの円周を有し、該肩掛け紐２の一片を繋ぎ紐１５だけを使用し、背中上部にて結ぶ１２、冷却剤１を脇の下に固定させる。【００１５】図３において、人体の両脇に設置される（イ）の単一の冷却剤１又は、（ロ）の複数の部屋を有した冷却剤１の両側面より、上部上方向に湾曲に立上げた肩掛け紐２は、人体の腕の付け根の円周より大きめの円周を有し、（ハ）に示す、両脇に設置される冷却剤１の両側面上部に構成された双方の該肩掛け紐２を一つに束ね、スライド式留め具１０を差し込み、該肩掛け紐２が人体の腕に通されたら、（ａ）（ｂ）に示す、人体の背側でスライド式留め具１０を有し、ループエンド３０された、束ねられた該肩掛け紐２を手前に持ち、スライド式留め具１０が背中上部に固定する様に絞っていき、冷却剤１を脇の下に固定させる。【００１６】図４の請求項２において、人体の両脇に設置される（イ）の単一の冷却剤１又は、（ロ）の複数の部屋を有した冷却剤の１の側面より、上部上方向に湾曲に立上げた人体の腕の付け根の円周より大きめの円周を備えた、肩掛け紐２を二つに分割し、分割された該肩掛け紐２の先端を結び１２、腕の付け根の円周より大きめに設定させた該肩掛け紐２を、（ａ）（ｂ）に示す、人体の腕に通された両該肩掛け紐２をループエンド３０された、スライド式留め具１０を有した繋ぎ紐１５を利用し背中上部で絞り上げ留め、冷却剤１を脇の下に固定させる。【００１７】図５の請求項３において、人体の両脇に設置される（イ）の単一の冷却剤１又は、（ロ）の複数の部屋を有した冷却剤１の両側面より、上部上方向に湾曲に立上げた人体の腕の付け根の円周より大きめの円周を備えた肩掛け紐２を二つに分割し、分割された該肩掛け紐２に人体の成長に合わせ、長さ調節可能な部材である長さ調節具１３を備え、又、該肩掛け紐２の先端を取り外し自在にした留め具１１、と受け手にはリング１４を構成し繋ぎ止める、（ａ）（ｂ）に示す、人体の腕に該肩掛け紐２を通しループエンド３０された、スライド式留め具１０を有した繋ぎ紐１５を利用して背中上部で絞り上げ留め、冷却剤１を脇の下に固定させる。【００１８】図６の請求項４において、人体の両脇に設置されるの単一の冷却剤１又は、複数の部屋を有した冷却剤１の両側面より、上部上方向に湾曲に立上げた人体の腕の付け根の円周より大きめの円周を備えた肩掛け紐２の（イ）は、冷却剤１の片側面上部より肩掛け紐２を支持する部材であるリング１４が構成され、該リングを利用して肩掛け紐２を構成させる、該肩掛け紐２には、長さを調節させるための長さ調節具１３を有し該肩掛け紐２をループエンド３０された、スライド式留め具１０を有した繋ぎ紐１５を利用して背中上部で絞り上げ留め、冷却剤１を脇の下に固定させる。【００１９】図６の（ロ）において、人体の両脇に設置される単一の冷却剤１又は、複数の部屋を有した冷却剤１の両側面より、上部上方向に湾曲に立上げた人体の腕の付け根の円周より大きめの円周を備えた肩掛け紐２は、冷却剤１の片側面上部より肩掛２紐を支持する部材であるリング１４が構成され、該肩掛け紐２には長さ調節可能な、長さ調節具１３を有し、該肩掛け紐２の片側の末端に、取り外し自在の部材である留め具１１が構成され、冷却装置の片側面だけ該肩掛け紐２を取り外すことが出来る、該肩掛け紐２をループエンド３０された、スライド式留め具１０を有した繋ぎ紐１５を利用して背中上部で絞り上げ留め、冷却剤１を脇の下に固定させる。【００２０】（ロ）に示す、冷却剤１の片側面上部に構成されたリング１４は、該肩掛け紐２に備えられた留め具１１の受け手になる。【００２１】図６の（ハ）において、人体の両脇に設置される単一の冷却剤１又は、複数の部屋を有した冷却剤１の両側面より、上部上方向に湾曲に立上げた人体の腕の付け根の円周より大きめの円周を備えた長さ調節可能な部材である、長さ調節具１３を有した肩掛け紐２は、冷却剤１の両側面上部より該肩掛け紐２を支持する部材であるリング１４を構成し、該リング１４より肩掛け紐２を立上げる、該肩掛け紐２には片側面だけに留め具１１を有し、片側面だけ冷却剤１より取り外すことが出来る、該肩掛け紐２をループエンド３０された、スライド式留め具１０を有した繋ぎ紐１５を利用し背中上部で絞り上げ留め、冷却剤１を脇の下に固定する。【００２２】図６の（ニ）において、人体の両脇に設置される単一の冷却剤１又は、複数の部屋を有した冷却剤１の両側面より、上部上方向に湾曲に立上げた人体の腕の付け根の円周より大きめの円周を備えた、長さ調節可能な部材である長さ調節具１３と、肩掛け紐２の両末端に取り外し自在の部材である留め具１１を備えた肩掛け紐２は、冷却剤１の両側面上部に該肩掛け紐２を支持する部材であるリング１４を構成させ、該リング１４より該肩掛け紐２は冷却剤１より完全に取り外すことが出来る、該肩掛け紐２をループエンド３０されたスライド式留め具１０を有した繋ぎ紐１５を利用し背中上部で絞り上げ留め、冷却剤１を脇の下に固定する。【００２３】図７の請求項５において、人体の両脇に設置される（イ）の単一、又は、（ロ）の複数の部屋を有する冷却剤１の両側面、又は片側面に袖部材３２を構成し、該袖部材３２、又は、冷却剤１の上部より上方向に湾曲に立上げた人体の腕の付け根の円周より大きめの円周を備えた、収縮自在の素材を有した肩掛け紐２は、山部分に肩クッション３３を備え、人体の肩に該肩掛け紐２の食い込みを防止させる、両該肩掛け紐２の一片を背側で繋ぎ止める部材である、ループエンド３０されたスライド式留め具１０を有した繋ぎ紐１５を支持させる部材であるリング１４を両該肩掛け紐２の一片に構成し、該リング１４に通された該繋ぎ紐１５を利用し背中上部で絞り上げ留め、冷却剤１を脇の下に固定する。【００２４】該袖部材３２は、曲線を有する人体に装着させた冷却装置のネジレを防止させる。【００２５】図７の（ハ）に示す、本考案の冷却装置の冷却剤１に着脱自在のカバー３４を構成し、冷された冷却剤１の結露を防いでいる。【００２６】図８の請求項６において、人体の両脇に設置される（イ）の単一、又は、（ロ）の複数の部屋を有する冷却剤１の両側面上部上方向に湾曲に立ち上る人体の腕の付け根の円周より大きめの円周を備えた肩掛け紐２を有する冷却装置の側面に、腕の周囲、又は、胸の周囲を固定させるためのベルト３１を取り付け、（ａ）（ｂ）に示す、該冷却装置を人体に装着したら腕の周囲、又は、胸の周囲にベルト３１を固定し結ぶ１２、冷却剤１を人体の脇の下に一層に固定させ、両該肩掛け紐２の一片をループエンド３０されたスライド式留め具１０を有した繋ぎ紐１５を利用し背中上部で絞り上げ留め、冷却剤１を脇の下に固定する。【００２７】図９の請求項７において、人体の両脇に設置される（イ）の単一、又は、（ロ）複数の部屋を有する冷却剤１の両側面上部上方向に湾曲に立ち上る人体の腕の付け根の円周より大きめの円周を有する肩掛け紐２の、腕の周囲、又は、胸の周囲を固定させるためのベルト３１を有した冷却装置の側面に、該ベルト３１を支持させるための部材であるリング１４を設、該ベルト３１の付け根には、取り外し自在の部材である留め具１１を有し、冷却装置から取り外すことが出来、該ベルト３１の先端には、腕の周囲、又胸の周囲を固定させる為の部材である留め具１１を設、受け手にはリング１４を備えさせ繋ぎ止める、該ベルト３１は長さ調節可能な部材である長さ調節具１３を備え人体の成長に合わせ調節させる、該ベルトは収縮自在の素材を有する、両該肩掛け紐２の一片をループエンド３０されたスライド式留め具１０を有した繋ぎ紐１５で背中上部で絞り上げ留め、冷却剤１を脇の下に固定する。【００２８】胸の周囲に設置された該ベルト３１は人体の前側のみ又、後側のみにだけに一使用することもできる。
【発明の効果】
本発明の、冷却装置は、単一、又は、複数の部屋を有する冷却剤１より直接、人体の腕の付け根の円周より大きめの円周を有した肩掛け紐２を構成したことで、冷却装置を直接冷却し、そのまま人体に装着させることを目的にしている。
【図面の簡単な説明】
【図１】イ）ロ）の本発明は、冷却装置と、それを繋ぎ留める部材の一例の図面です、ａ）ｂ）は人体に冷却装置を装着させた図面である。
【図２】イ）ロ）ハ）の本発明は、冷却装置と、それを繋ぎ留める部材の二例の図面です、ａ）ｂ）は人体に冷却装置を装着させた図面である。
【図３】イ）ロ）ハ）の本発明は、冷却装置と、それを繋ぎ留める部材の三例の図面です、ａ）ｂ）は人体に冷却装置を装着させた図面である。
【図４】イ）ロ）の本発明は、冷却装置の肩掛け紐が山部分で二つに分割された図面です、ａ）ｂ）は人体に冷却装置を装着させた図面である。
【図５】イ）ロ）の本発明は、冷却装置の肩掛け紐が山部分で二つに分割し、該肩掛け紐に部材を設けた図面です、ａ）ｂ）は人体に冷却装置を装着させた図面である。
【図６】イ）ロ）ハ）ニ）の本発明は、冷却装置と肩掛け紐に部材を取り付けた図面です。
【図７】イ）ロ）の本発明は、冷却装置の肩掛け紐に肩掛け紐を支持する部材と、冷却剤には袖で部材を構成させ収縮自在な素材を有した図面です。ハ）は、冷却剤に着説自在のカーバを付けた図面である。
【図８】イ）ロ）の本発明は、冷却装置に胸の周囲、腕の周囲を固定させる為のベルトを構成させた図面です、ａ）ｂ）は人体に冷却装置を装着させた図面である。
【図９】イ）ロ）の本発明は、冷却装置に構成させたベルトに部材を設けた図面である。ａ）ｂ）は人体に冷却装置を装着させた図面である。
【符号の説明】
１    冷却剤                    ２０  人体の前側
２    肩掛け紐                  ２１  人体の横側
１０  スライド式留め具          ２２  人体の後側
１１  留め具                    ３０  ループエンド
１２  結び目                    ３１  ベルト
１３  長さ調節具                ３２  袖部材
１４  リング                    ３３  肩クッション
１５  繋ぎ紐                    ３４  カーバ
【図１】
2005034557.tif 000003
【図２】
2005034557.tif 000004
【図３】
2005034557.tif 000005
【図４】
2005034557.tif 000006
【図５】
2005034557.tif 000007
【図６】
2005034557.tif 000008
【図７】
2005034557.tif 000009
【図８】
2005034557.tif 000010
【図９】
2005034557.tif 000011